(57)【要約】【課題】簡易な操作でキャッシュメモリの状態を調整可能にする技術の提供を課題とする。【解決手段】複数のチャンネルの放送をキャッシュメモリに保存し、保存した放送を前記キャッシュメモリから読み出して再生可能な放送受信装置において、各チャンネルに対応するアイコンを表示装置に表示させるアイコン表示部と、前記各チャンネルに割り当てられたキャッシュメモリの状態に応じてアイコンの表示様態を変化させる表示変更部と、前記アイコンに対してユーザの操作が行われた場合に、キャッシュメモリの状態に応じて、当該アイコンと対応するチャンネルに割り当てられたキャッシュメモリの設定を調整する設定調整部とを備える。【選択図】図１
2019021955.tif 000002
【特許請求の範囲】
【請求項１】
複数のチャンネルの放送をキャッシュメモリに保存し、当該放送の再生が可能な放送受信装置において、
各チャンネルに対応するアイコンを表示装置に表示させるアイコン表示部と、
前記各チャンネルに割り当てられたキャッシュメモリの状態に応じてアイコンの表示様態を変化させる表示変更部と、
前記アイコンに対してユーザの選択操作が行われた場合に、キャッシュメモリの状態に応じて、当該アイコンと対応するチャンネルに割り当てられたキャッシュメモリの設定を調整する設定調整部と、
を備える放送受信装置。
【請求項２】
前記チャンネルに割り当てられた前記キャッシュメモリの状態が、当該キャッシュメモリの総記憶容量のうち、使用されずに空いている空き容量であり、
前記アイコンに対してユーザの操作が行われた場合に、前記設定調整部が、前記キャッシュメモリの空き容量に応じて、当該アイコンと対応するチャンネルに割り当てられたキャッシュメモリの記憶容量を変更するように設定を調整する請求項１に記載の放送受信装置。
【請求項３】
選択された前記アイコンと対応する前記チャンネルに割り当てられた前記キャッシュメモリの空き容量が所定値以下の場合に、前記設定調整部が、当該チャンネルに割り当てられた前記キャッシュメモリの記憶容量を所定量増加させる請求項２に記載の放送受信装置。
【請求項４】
前記キャッシュメモリの全記憶容量のうち、どのチャンネルにも割り当てられていない記憶容量又は各チャンネルに割り当てられたキャッシュメモリのうち、空き容量が所定値以上のキャッシュメモリの記憶容量を前記キャッシュメモリの空き容量が所定値以下のチャンネルに割り当てる請求項３に記載の放送受信装置。
【請求項５】
前記キャッシュメモリの全記憶容量のうち、どのチャンネルにも割り当てられていない記憶容量及び各チャンネルに割り当てられたキャッシュメモリの空き容量が所定値以下の場合に、選択された前記アイコンと対応する前記チャンネルへの前記ラジオ放送の保存を停止させる請求項２〜４の何れか１項に記載の放送受信装置。
【請求項６】
選択された前記アイコンと対応する前記チャンネルに割り当てられた前記キャッシュメモリの空き容量が所定値以上の場合に、前記設定調整部が、当該チャンネルに割り当てられている前記キャッシュメモリの記憶容量を所定量減らして、他のチャンネルに割り当てる請求項２に記載の放送受信装置。
【請求項７】
前記他のチャンネルに割り当てる記憶容量が、複数の他のチャンネルへ均等に配分される、又は他のチャンネルの空き容量に応じた量で配分される請求項６に記載の放送受信装置。
【請求項８】
前記アイコンに対する選択操作に続けて、他のアイコンに対する選択操作が行われた場合に、前記空き容量が所定値以上のキャッシュメモリから減らした記憶容量を前記他のアイコンと対応するチャンネルに割り当てる請求項６に記載の放送受信装置。
【請求項９】
選択された前記アイコンと対応する前記チャンネルに割り当てられた前記キャッシュメモリに、再生済みの放送が保存されている場合、当該再生済みの放送が記憶されている部分の記憶領域を開放して空き容量を増加させる請求項１に記載の放送受信装置。
【請求項１０】
複数のチャンネルの放送をキャッシュメモリに保存し、当該放送の再生が可能な放送受信装置が、
各チャンネルに対応するアイコンを表示装置に表示させるステップと、
前記各チャンネルに割り当てられたキャッシュメモリの状態に応じてアイコンの表示様態を変化させるステップと、
前記アイコンに対してユーザの選択操作が行われた場合に、キャッシュメモリの状態に応じて、当該アイコンと対応するチャンネルに割り当てられたキャッシュメモリの設定を調整するステップと、
を実行する放送受信方法。
【発明の詳細な説明】
【技術分野】
【０００１】
本発明は、放送を受信する技術に関する。
【背景技術】
【０００２】
従来、ラジオ放送の受信機としては、ユーザが選択したチャンネルのラジオ放送を受信し、リアルタイムに音声出力するものが一般的であった。しかしながら、近年、複数のチャンネルのラジオ放送を常時キャッシュに保存しておくことで、ユーザが任意の時間に、保存されているラジオ放送のなかから聞きたいラジオ放送を選択して聴取できるようにした受信機も知られている。
【先行技術文献】
【特許文献】
【０００３】
【特許文献１】特開平１０−２２４６６６号公報
【特許文献２】特開２００４−１２９８８２号公報
【特許文献３】特開平６−２８２３９３号公報
【特許文献４】特開平１０−１９０９１８号公報
【特許文献５】特開２００８−１７６４６１号公報
【発明の概要】
【発明が解決しようとする課題】
【０００４】
ラジオ放送をキャッシュメモリに保存する受信機では、キャッシュメモリに保存したラジオ放送の量がキャッシュメモリの記憶容量の上限に達した場合、例えば受信時刻の古いラジオ放送が記憶されている領域に、新しく受信したラジオ放送を上書きすることで、現在時刻からキャッシュメモリに保存可能な量のラジオ放送を保持する。このため、ユーザが聞きたいと思っているラジオ番組があっても、保存されたラジオ放送の量がキャッシュメモリの容量の上限に達した状態で時間が経過した場合、当該ラジオ番組が削除されてしまうことがある。
【０００５】
そこで、チャンネル毎に割り当てられているキャッシュメモリの容量（当該キャッシュに保存可能なデータ量）や、キャッシュメモリの容量に対する当該キャッシュメモリに保存済ラジオ放送のデータ量の割合（使用率）、キャッシュメモリに保存されたラジオ放送が聴取済みか否か、当該キャッシュメモリへの保存（録音）を継続しているか否かなど、キャッシュメモリの状態をユーザが把握でき、このキャッシュメモリの状態を適切に設定できることが望ましい。しかしながら、ラジオ放送を聞くときの画面は、聴取したいチャンネルを選択するための選択ボタン（ソフトウェアキー）等が表示されるのみで、チャンネル毎のキャッシュメモリの状態を把握できるものではなかった。また、チャンネル毎のキャッシュメモリの状態を設定するためには、設定画面等に表示を切り替えて行う必要があり、聴取中、キャッシュメモリの状態を把握して、設定を行うことが容易にできないという問題点があった。これに対し、ラジオ放送を聞くときの画面に、チャンネルを選択するための選択ボタンの他、チャンネル毎に割り当てられているキャッシュの容量や、使用率、キャッシュに保存されたラジオ放送が聴取済みか否か、当該キャッシュへの保存（録音）を継続しているか否かなどのキャッシュメモリの状態を示す表示、及びキャッシュの状態を設定する操作ボタン（ユーザインタフェイス）等の表示を行うことも考えられるが、一つの画面に多くの情報を表示し過ぎると、視認性が低下して、キャッシュの状況を容易に把握できなくなり、また、設定の操作も困難になってしまう。特に、携帯型の受信機や車載型の受信機では、表示領域に限りがあり、キャッシュメモリの状態を示す表示とキャッシュメモリの状態を設定するユーザインタフェイスを一つの画面に表示するのは困難
であった。このため、キャッシュメモリの状態を設定するには、設定用のメニューや画面を表示させる必要があり、操作が煩雑であった。
【０００６】
そこで、本発明では、放送をキャッシュメモリに保存する放送受信装置において、簡易な操作でキャッシュメモリの状態を調整可能とする技術の提供を課題とする。
【課題を解決するための手段】
【０００７】
上述した課題を解決するため、本発明の放送受信装置は、
複数のチャンネルの放送をキャッシュメモリに保存し、当該放送の再生が可能であって、
各チャンネルに対応するアイコンを表示装置に表示させるアイコン表示部と、
前記各チャンネルに割り当てられたキャッシュメモリの状態に応じてアイコンの表示様態を変化させる表示変更部と、
前記アイコンに対してユーザの選択操作が行われた場合に、キャッシュメモリの状態に応じて、当該アイコンと対応するチャンネルに割り当てられたキャッシュメモリの設定を調整する設定調整部と、
を備える。
【発明の効果】
【０００８】
本発明によれば、簡易な操作でキャッシュメモリの状態を調整可能とする技術を提供できる。
【図面の簡単な説明】
【０００９】
【図１】図１は、放送受信装置の構成を示す図である。
【図２】図２は、ラジオ放送を再生しているときの画面表示の一例を示す図である。
【図３】図３は、ユーザが放送受信装置に対して設定を行うときの画面表示の一例を示す図である。
【図４】図４は、ラジオ放送を再生する際の処理を示す図である。
【図５】図５は、表示画面を表示する処理の詳細を示す図である。
【図６】図６は、アイコンが選択された場合にキャッシュメモリの設定を調整する処理の詳細を示す図である。
【図７】図７は、アイコン内にポーズマークを表示した例を示す図である。
【図８】図８は、アイコンの表示様態の変形例を示す図である。
【図９】図９は、変形例２において、表示画面を表示する処理の詳細を示す図である。
【図１０】図１０は、再生済みのラジオ放送が保存されている状態を示す表示様態の例を示す図である。
【図１１】図１１は、変形例２においてアイコンが選択された場合にキャッシュメモリの設定を調整する処理の詳細を示す図である。
【図１２】図１２は、変形例３においてアイコンが選択された場合にキャッシュメモリの設定を調整する処理の詳細を示す図である。
【発明を実施するための形態】
【００１０】
以下、図面を参照して本発明の実施形態について説明する。以下の実施形態の構成は例示であり、本発明は実施形態の構成に限定されない。
〈装置構成〉
図１は、本実施形態の放送受信装置の構成を示す図である。本実施形態の放送受信装置１００は、複数のチャンネルのラジオ放送を受信してキャッシュメモリに保存し、保存したラジオ放送を前記キャッシュメモリから読み出して再生可能な所謂ラジオ受信機である。また、放送受信装置１００は、携帯型のラジオ受信機や、車載型のラジオ受信機であってもよい。更に、放送受信装置１００は、車両に搭載される場合、車両の運行に関する案
内（ナビゲーション）を行うナビゲーション機能や、音楽を再生するオーディオ機能、動画の再生やテレビ放送の表示を行うビジュアル機能を備えたオーディオ・ビジュアル・ナビゲーション一体型の電子機器（ＡＶＮ機とも称す）であっても良い。
【００１１】
図１に示すように、本実施形態の放送受信装置１００は、表示装置１０、入力部２０、音声出力部３０、放送受信部４０、記憶部５０、中央処理装置（ＣＰＵ：Central Processing Unit）６０を備えている。即ち、放送受信装置１００は、中央処理装置（ＣＰＵ）６０や、記憶部（メモリ）５０を備えるコンピュータ（情報処理装置）でもある。
【００１２】
表示装置１０は、液晶表示素子や有機ＥＬ(Electro-Luminescence)パネル等の表示素子（不図示）を備え、中央処理装置６０からの信号に基づいて、ラジオ放送に係るアイコン等を表示する。
【００１３】
入力部２０は、ユーザによって操作され、当該操作に応じた情報を中央処理装置６０へ入力する。なお、入力部２０は、表示装置１０の表示素子に重畳されてユーザのタッチ操作を受け付けるタッチパネルであってもよい。また、放送受信装置１００が車両に搭載された装置である場合、入力部２０は、ステアリングやシフトレバー、インパネ、ダッシュボード等に配置されたスイッチやタッチパッドであってもよい。また、入力部２０は、ユーザの音声を中央処理装置６０へ入力するマイクであってもよい。
【００１４】
音声出力部３０は、中央処理装置６０から供給される各種の音情報をユーザに対して出力するスピーカ等の出力手段である。
【００１５】
放送受信部４０は、ラジオ放送を受信する手段、所謂チューナーユニットであり、後述のように設定された複数のチャンネルのラジオ放送を中央処理装置６０へ入力する。放送受信部４０は、受信する放送の方式を特に限定するものではなく、アナログ方法や、ディジタル放送、衛星放送、地上波放送を受信するものであってもよい。また、放送受信部４０は、放送波を受信するものに限らず、データ回線を介して、ラジオ放送のデータをブロードキャストする所謂ネットラジオを受信するものであってもよい。
【００１６】
記憶部５０は、情報を記憶する手段であり、例えば中央処理装置６０がコンピュータとして機能する場合のメインメモリ（主記憶装置）や補助記憶装置を含む。主記憶装置は、中央処理装置６０の作業領域，プログラムやデータの記憶領域，通信データのバッファ領域として使用される。主記憶装置は、例えば、Random Access Memory（ＲＡＭ），或いはＲＡＭとRead Only Memory（ＲＯＭ）との組み合わせで形成される。主記憶装置は、中央処理装置６０がプログラムやデータをキャッシュしたり、作業領域を展開したりする記憶媒体である。主記憶装置は、例えば、フラッシュメモリ、ＲＡＭ（Random Access Memory）やＲＯＭ（Read Only Memory）を含む。補助記憶装置は、中央処理装置６０により実行されるプログラムや、動作の設定情報などを記憶する記憶媒体である。補助記憶装置は、例えば、ＨＤＤ（Hard-disk Drive）やＳＳＤ（Solid State Drive）、ＥＰＲＯＭ（Erasable Programmable ROM）、フラッシュメモリ、ＵＳＢメモリ、メモリカード等である。また、記憶部５０は、受信したラジオ放送のデータを記憶するキャッシュメモリとしても使用される。
【００１７】
中央処理装置６０は、プログラムを実行して、入力情報を処理する演算処理装置である。中央処理装置６０は、プロセッサとも呼ばれる。ただし、中央処理装置６０は、単一のプロセッサに限定される訳ではなく、マルチプロセッサ構成であってもよい。また、単一のソケットで接続される単一の中央処理装置６０がマルチコア構成であってもよい。放送受信装置１００では、中央処理装置６０がプログラムを実行することにより、図１に示すアイコン表示部６１や、表示変更部６２、設定調整部６３、放送再生部６４、キャッシュ
制御部６５といった各処理部として機能する。但し、上記各処理部の少なくとも一部の処理がＤＳＰ（Digital Signal Processor）、ＡＳＩＣ（Application Specific Integrated Circuit）等によって提供されてもよい。また、上記各処理部の少なくとも一部が、ＦＰＧＡ（Field-Programmable Gate Array）等の専用ＬＳＩ（large scale integration）、その他のデジタル回路であってもよい。また、上記各処理部の少なくとも一部にアナログ回路を含む構成としてもよい。
【００１８】
アイコン表示部６１は、ユーザが入力部２０を操作して登録した各チャンネルに対応するアイコンを表示装置１０に表示させる。また、アイコン表示部６１は、アイコンの他、再生中のチャンネル名や、プログレスバー、操作ボタン等、ラジオ放送の再生に係るユーザインタフェース（ＧＵＩ：Graphical User Interface）を表示させる。
【００１９】
表示変更部６２は、各チャンネルに割り当てられたキャッシュの空き容量に応じてアイコンの表示様態を変化させる。
【００２０】
設定調整部６３は、前記アイコンに対してユーザの操作が行われた場合に、キャッシュの残り容量に応じて、チャンネルごとのキャッシュ容量の設定を調整する。
【００２１】
放送再生部６４は、ユーザによって選択されたチャンネルのデータを記憶部５０から読み出し、当該データをデコードした音信号を音声出力部３０へ送り、音として出力させることでラジオ放送を再生させる。
【００２２】
キャッシュ制御部６５は、放送受信部４０から入力された複数チャンネルのラジオ放送を各チャンネルに割り当てた領域（キャッシュメモリ）に保存する。以下、このキャッシュメモリへのラジオ放送の保存することをキャッシュするとも称する。なお、キャッシュ制御部６５は、ラジオ放送をキャッシュする際、当該ラジオ放送の放送された時刻（放送時刻）、即ち受信時刻が特定できるように、例えば放送時刻と記憶領域のアドレスを対応付けて保存し、再生するラジオ放送の放送時刻が指定された場合に、対応するラジオ放送をキャッシュメモリから読み出せるようにしている。
【００２３】
図２は、ラジオ放送を再生しているときの画面表示の一例を示す図、図３は、ユーザが放送受信装置１００に対して設定を行うときの画面表示の一例を示す図である。
【００２４】
ユーザが入力部２０を操作してラジオ放送の出力（再生）を指示した場合、アイコン表示部６１は、例えば図２に示すように、アイコン１１や、チャンネル名１２、プログレスバー１３、操作ボタン１４〜１８を含む画面（再生画面）を表示装置１０に表示させる。
【００２５】
アイコン１１は、ユーザによって登録されたチャンネルと対応しており、後述のように各チャンネルのラジオ放送を保存するキャッシュメモリの空き容量に応じて表示の様態が変化される。図２の例では、登録された６つのチャンネルに対応するアイコン１１が、左右方向に配列されている。なお、各アイコン１１には、それぞれ対応するチャンネルの名称が表示されている。
【００２６】
チャンネル名１２は、ユーザによって選択された再生中のチャンネルの名称を示す表示である。プログレスバー１３は、再生中のチャンネルに割り当てられたキャッシュメモリの全体領域のうち、ラジオ放送が保存されている領域の割合（使用率）を示している。また、プログレスバー１３は、ラジオ放送が保存されている領域をバー１３１で示すことで、バー１３１が表示されていない部分がラジオ放送を保存できる残りの容量（空き容量）であることを示している。図２の例において、プログレスバー１３は、左右方向に長手の形状で示され、左端を原点（０％）とし、右端を上限値（１００％）とした棒グラフのよ
うに、前記ラジオ放送が保存されている領域の割合（使用率）を特定の色（図２では網掛け）としたバー１３１で示し、ラジオ放送が保存されていない領域の割合を使用率と異なる色、図２では背景色（白色）で示している。即ち、キャッシュメモリの使用率が０％の場合、バー１３１が表示されず、使用率の増加に伴い、バー１３１が左側から右側に向かって伸びるように表示される。
【００２７】
また、プログレスバー１３は、ラジオ放送の再生位置を指定するスライダー１３２を有している。例えば、本実施形態の放送受信装置１００は、バー１３１の横方向を時間軸として定め、バー１３１の左端を当該キャッシュメモリに保存されているラジオ放送のうち、最も古い放送時刻（受信時刻）と対応させ、バー１３１の右端１３３を現在時刻と対応させて、バー１３１の横方向の位置と時刻とを対応付ける。そして、ユーザがスライダー１３２を横方向へスライド操作して、再生位置を指定した場合、放送受信装置１００は、当該スライダー１３２の横方向の位置と対応する時刻に保存したラジオ放送の再生を開始する。具体的には、３時間分のラジオ放送を保存しているときに、バー１３１の右端１３３から３分の１ほど左の位置にスライダー１３２が操作された場合、現在時刻より１時間前に保存したラジオ放送を再生し、バー１３１の右端１３３から３分の２ほど左の位置にスライダー１３２が操作された場合、現在時刻より２時間前に保存したラジオ放送を再生する。また、バー１３１の右端１３３に位置するようにスライダー１３２が操作された場合、放送受信装置１００は現在放送されているラジオ放送を再生する。なお、本実施形態では、放送受信装置１００が、ラジオ放送をキャッシュメモリから読み出すのではなく、受信したラジオ放送をリアルタイムにデコードし、音声として出力することもラジオ放送の再生と称する。
【００２８】
操作ボタン１４〜１８のうち、再生ボタン１４は、ユーザによって選択される毎にラジオ放送の再生と停止を切り替えるボタンである。早送りボタン１５，１６は、選択されている間、等倍以上の速度で再生位置を進めるボタンである。また、早戻しボタン１７，１８は、選択されている間、再生位置を戻すボタンである。
【００２９】
なお、各アイコン１１と対応するチャンネルの登録は、ユーザの操作によって変更可能である。例えば、アイコン１１を長押しするなどの所定操作を行うことで、チャンネルの選択画面（不図示）が表示され、この選択画面で他のチャンネルを選択することで、他のチャンネルを登録することができる。
【００３０】
設定ボタン１９は、キャッシュの設定画面を表示させるボタンである。設定ボタン１９が選択されると、設定調整部６３は、設定画面を表示装置１０に表示させる。図３に示すように、設定画面は、アイコン１１や、キャッシュメモリ全体の使用状況を示す全体バー７１、チャンネル毎の設定を行うための設定ユニット７２、再生画面に戻るための戻るボタン７３を有している。
【００３１】
全体バー７１は、左右方向に長手の形状で示され、左端を原点（０％）とし、右端を上限値（１００％）とした棒グラフのように、各チャンネルに保存されているラジオ放送のデータ量（以下、使用量とも称す）の合計と、各チャンネルに割り当てられている記憶容量（以下、割当量とも称す）の合計を示している。図２の例における全体バー７１は
、使用量の合計を格子状の網掛けで示し、割当量の合計を斜線状の網掛けで示している。即ち、全体バー７１の領域全体のうち、格子状の網掛けや斜線状の網掛けが付されていない部分は、各チャンネルに割当られていない記憶容量（未割当量）を示している。
【００３２】
各チャンネルの設定ユニット７２は、使用状況バー７２１や、割当量の表示７２２、各種操作ボタン７２３〜７２６を有している。使用状況バー７２１は、上下方向に長手の形状で示され、下端を原点（０％）とし、上端を上限値（１００％）とした棒グラフのよう
に、当該チャンネルに割り当てられた記憶容量（割当量）に対し、前記ラジオ放送が保存されている領域の割合（使用率）を特定の色（図３では網掛け）としたバー７０１で示し、ラジオ放送が保存されていない領域の割合を使用率と異なる色、図３では背景色（白色）で示している。即ち、キャッシュメモリの使用率が０％の場合、バー７０１が表示されず、使用率の増加に伴い、バー７０１が下側から上側に向かって伸びるように表示される。
【００３３】
割当量の表示７２２は、当該チャンネルに割り当てられたキャッシュメモリの記憶容量を示している。図３の例において、割当量の表示７２２は、キャッシュメモリに保存可能なラジオ放送の時間数で示されている。これに限らず、割当量の表示７２２は、「○ＧＢ」等のように、キャッシュメモリに保存可能なデータ量で示されてもよい。
【００３４】
削減ボタン７２３は、当該チャンネルに割り当てられたキャッシュメモリの記憶容量（割当量）を削減させるためのボタンであり、例えばユーザに選択される毎に割当量を削減するように設定が調整される。増加ボタン７２４は、当該チャンネルに割り当てられたキャッシュメモリの記憶容量（割当量）を増加させるためのボタンであり、例えばユーザに選択される毎に割当量を増加するように設定が調整される。
【００３５】
削除ボタン７２５は、聴取済みのデータを削除するためのボタンである。例えばキャッシュメモリに保存されたラジオ放送が再生された場合、放送受信装置１００は、再生されたことを再生履歴情報として記憶しておき、削除ボタン７２５がユーザに選択された場合に、再生履歴情報に基づいて、再生されたことのあるラジオ放送のデータを聴取済みデータとして当該キャッシュメモリから削除する。
【００３６】
キャッシュ停止ボタン７２６は、キャッシュメモリへのラジオ放送の保存を停止させるためのボタンであり、キャッシュ開始ボタン７２７は、キャッシュメモリへのラジオ放送の保存を開始させるためのボタンである。なお、キャッシュ停止ボタン７２６がユーザに選択されてキャッシュメモリへのラジオ放送の保存が停止されると、キャッシュ停止ボタン７２６に代えてキャッシュ開始ボタン７２７が表示される。また、キャッシュ開始ボタン７２７がユーザに選択されてキャッシュメモリへのラジオ放送の保存が開始されると、キャッシュ開始ボタン７２７に代えてキャッシュ停止ボタン７２６が表示される。
【００３７】
なお、各種操作ボタン７２３〜７２７は、操作できない状態（非操作状態）の場合、この非操作状態を示す様態で表示されてもよい。非操作状態を示す様態とは、例えば、操作可能な状態の様態と比べて、色を白に近づける、輝度を低くする、彩度を低くする、淡いグレーにする等、色調を異ならせることであり、所謂グレーアウトした状態である。具体的には、キャッシュメモリの割り当てを増やせないときに、増加ボタン７２４を非操作状態の様態とし、キャッシュメモリに再生済みのラジオ放送が保存されていないときに、削除ボタン７２５を非操作状態の様態とする。
【００３８】
〈放送受信方法〉
上記構成の放送受信装置１００が、ラジオ放送を受信して再生する際、このラジオ放送の再生に伴って実行するアイコンの表示やキャッシュメモリの設定を調整する方法について次に説明する。本実施形態の放送受信装置１００は、ラジオ放送を再生する際、図２に示すように登録されたチャンネルと対応する複数のアイコン１１を表示する。このとき放送受信装置１００は、ラジオ放送の再生と並行して、複数のチャンネルのラジオ放送を保存し、各チャンネルに対応するアイコン１１をキャッシュメモリの状況に応じた様態で表示する。
【００３９】
図４は、ラジオ放送を再生する際の処理を示す図である。放送受信装置１００は、ユー
ザによってラジオ放送の再生が選択された場合や、放送受信装置１００の電源が投入された場合等の所定のタイミングで、図４の処理を実行する。
【００４０】
放送受信装置１００は、再生するチャンネルとして既に選択されているチャンネル（例えば前回終了時に再生されていたチャンネル）の識別情報や、登録されている各チャンネルに割り当てられたキャッシュメモリの割当量、各チャンネルのキャッシュメモリの使用率、各キャッシュメモリへ保存するラジオ放送が取得可能か否か、各キャッシュメモリへの保存が停止されているか否かなど、キャッシュメモリの状態等を示す設定情報を記憶部５０から取得する（ステップＳ１０）。
【００４１】
放送受信装置１００は、ステップＳ１０で取得した設定情報に基づき、図２に示すような再生画面を表示装置に表示させる（ステップＳ２０）。このとき放送受信装置１００は、各チャンネルのキャッシュの状態に応じてアイコン１１の表示様態やキャッシュを行うか否かを決定する。なお、アイコン１１の表示様態やキャッシュを行うか否かを決定する処理の詳細については後述する。
【００４２】
放送受信装置１００は、ステップＳ１０で取得したチャンネルの識別情報に基づいて、当該チャンネルのラジオ放送の再生を開始する（ステップＳ３０）。なお、ステップＳ３０で開始したラジオ放送の再生は、停止を指示する割り込みがあるまで、或いは放送受信装置１００の電源がオフになるまで、以降のステップと並行して実行される。
【００４３】
放送受信装置１００は、アイコン１１に対する選択操作が行われたか否かを判定する（ステップＳ４０）。ここで、選択操作とは、ユーザがアイコン１１を選択する操作であり、例えば、タッチパネルに対するクリックやダブルクリック、長押し、フリック等である。
【００４４】
アイコン１１に対する選択操作が行われた場合（ステップＳ４０，Ｙｅｓ）、放送受信装置１００は、選択されたアイコン１１と対応するチャンネルに割り当てられたキャッシュメモリの状態に応じて当該キャッシュメモリの設定を調整する（ステップＳ５０）。なお、キャッシュメモリの設定を調整する処理の詳細については、後述する。一方、アイコン１１に対する選択操作が行われていない場合（ステップＳ４０，Ｎｏ）、放送受信装置１００は、図４の処理を終了する。なお、放送受信装置１００は、ユーザによる停止の操作、或いは放送受信装置１００の電源がオフになるまで、図４の処理を繰り返し実行する。このように図４の処理を繰り返していくうちに、キャッシュに保存されたラジオ放送のデータ量が増えてキャッシュメモリの使用率が増加したり、キャッシュの設定が変更されたりした場合、ステップＳ１０で取得する設定情報が変化するので、この変化に伴ってアイコン１１の表示様態が更新される。
【００４５】
図５は、表示画面を表示する処理の詳細を示す図である。図４におけるステップＳ１０の後、ステップＳ２０へ移行したに、図５の処理（例えばサブルーチン）が開始される。図５の処理が開始されると、放送受信装置１００は、登録されているチャンネルのうち、アイコン１１の表示様態を決定するチャンネルを一つ選択する（ステップＳ１１０）。
【００４６】
この選択したチャンネルについて、放送受信装置１００は、キャッシュできるチャンネルか否か、例えば放送局側でラジオ放送の保存を禁止している場合や放送波を受信できない場合など、放送局側の要因によってラジオ放送をキャッシュできない状態となっていないかどうかを判定する（ステップＳ１２０）。ここで、キャッシュできるチャンネルでないと判定した場合（ステップＳ１２０，Ｎｏ）、放送受信装置１００は、当該チャンネルに対応するアイコン１１の表示色を黒に決定する（ステップＳ１３０）。また、放送受信装置１００は、当該チャンネルのラジオ放送をキャッシュしている場合、このキャッシュ
を停止する。即ち、前回の処理では、キャッシュ可能な状態であったが、今回の処理ではキャッシュできない状態に変更された場合、キャッシュを停止する（ステップＳ１３５）。
【００４７】
ステップＳ１２０にて、キャッシュできるチャンネルであると判定した場合（ステップＳ１２０，Ｙｅｓ）、放送受信装置１００は、キャッシュ対象のチャンネルであるか否かを判定する（ステップＳ１４０）。例えば、図３に示すキャッシュ停止ボタン７２６によりキャッシュが停止されているなど、ユーザ操作によってキャッシュを行わないように設定されているチャンネルの場合、放送受信装置１００は、キャッシュ対象でないと判定する。ここで、キャッシュ対象のチャンネルでないと判定した場合（ステップＳ１４０，Ｎｏ）、放送受信装置１００は、当該チャンネルに対応するアイコン１１の表示色を白に決定する（ステップＳ１４５）。また、放送受信装置１００は、当該チャンネルのラジオ放送をキャッシュしている場合、このキャッシュを停止する（ステップＳ１５０）。
【００４８】
ステップＳ１４０にて、キャッシュ対象のチャンネルであると判定した場合（ステップＳ１４０，Ｙｅｓ）、放送受信装置１００は、当該チャンネルのラジオ放送のキャッシュを開始する（ステップＳ１５５）。なお、ステップＳ１５５で開始したラジオ放送のキャッシュは、ステップＳ１３５，Ｓ１５０等で停止されるまで、或いは放送受信装置１００の電源がオフになるまで、以降のステップと並行して実行される。
【００４９】
また、放送受信装置１００は、ステップＳ１１０で選択されたチャンネルと対応するキャッシュメモリの使用率が１００％であるか否かを判定する（ステップＳ１６０）。ここで、使用率が１００％であると判定した場合（ステップＳ１６０，Ｙｅｓ）、放送受信装置１００は、当該チャンネルに対応するアイコン１１の表示色を赤に決定する（ステップＳ１６５）。
【００５０】
ステップＳ１６０にて、使用率が１００％でないと判定した場合（ステップＳ１４０，Ｎｏ）、放送受信装置１００は、当該チャンネルに対応するアイコン１１の表示色を使用率に応じて決定する（ステップＳ１７０）。例えば、放送受信装置１００は、使用率が０％より高く５０％未満の場合、アイコン１１の表示色を緑に決定し、使用率が５０％以上１００％未満の場合、アイコン１１の表示色をオレンジに決定する。なお、これに限らず使用率に応じた表示色は任意に定めることができる。例えば、使用率１％の場合に緑の原色、使用率１００％の場合に赤の原色とし、この中間は、使用率に応じて緑と赤を混色したような中間色としてもよい。
【００５１】
次に、放送受信装置１００は、対応するアイコンの表示様態を決めていないチャンネルがあるか否かを判定する（ステップＳ１７５）。ここで、表示様態を決めていないチャンネルがあると判定した場合（ステップＳ１７５、Ｙｅｓ）、放送受信装置１００は、ステップＳ１１０に戻って、表示様態を決めていないチャンネルを選択する。
【００５２】
一方、ステップＳ１７５にて、表示様態を決めていないチャンネルがないと判定した場合（ステップＳ１７５、Ｎｏ）、放送受信装置１００は、図４のステップＳ１０で取得した設定情報に基づき、例えば図２に示すように、チャンネル名１２やプログレスバー１３を描画すると共に、ステップＳ１３０，Ｓ１４５，Ｓ１６５，Ｓ１７０で決定した表示様態でアイコン１１を描画し、再生画面を表示装置１０に表示させ（ステップＳ１８０）、図５のルーチンを終了して図４のステップＳ３０へ移行する。
【００５３】
なお、図５の例では、キャッシュ状態に応じてアイコン１１の色を変化させたが、色に限らず、アイコン１１を点滅させ、点滅状態の変化によってキャッシュ状態を示す構成や、アイコン１１の周囲に枠を表示し、当該枠の変化によりキャッシュ状態を示す構成とし
てもよい。
【００５４】
図６は、アイコン１１が選択された場合にキャッシュメモリの設定を調整する処理の詳細を示す図である。図４におけるステップＳ５０の後、ステップＳ６０へ移行した場合に、図６の処理（例えばサブルーチン）が開始される。図６の処理が開始されると、放送受信装置１００は、選択操作が行われたアイコン１１と対応するチャンネルが、キャッシュ可能なチャンネルか否かを判定する（ステップＳ２１０）。換言すると、放送受信装置１００は、ステップＳ１３５で表示色が黒と決定されたアイコン１１に対して選択操作が行われたか否かを判定する。ここで、キャッシュできるチャンネルでないと判定した場合（ステップＳ２１０，Ｎｏ）、放送受信装置１００は、当該チャンネルに割り当てられているキャッシュメモリの記憶容量を開放し、他のチャンネルへの割り当てが可能な状態にする（ステップＳ２２０）なお、放送受信装置１００は、キャッシュメモリの記憶容量を単に開放するだけでなく、開放した記憶容量を他のチャンネルに均等に割り当てても良い。また、放送受信装置１００は、開放した記憶容量を他のチャンネルのうち、空き領域の少ないチャンネルに多く割り当て、空き領域の多いチャンネルには少なく割り当てるように、各チャンネルの空き容量又は使用率に応じて割り当てを調整してもよい。
【００５５】
ステップＳ２１０にて、キャッシュ可能なチャンネルであると判定した場合（ステップＳ２１０，Ｙｅｓ）、放送受信装置１００は、キャッシュ対象のチャンネルであるか否かを判定する（ステップＳ２３０）。換言すると、放送受信装置１００は、ステップＳ１４５で表示色が白と決定されたアイコン１１に対して選択操作が行われたか否かを判定する。ここで、キャッシュ対象のチャンネルでないと判定した場合（ステップＳ２３０，Ｎｏ）、放送受信装置１００は、当該チャンネルをキャッシュ対象に変更し、当該チャンネルにおけるラジオ放送のキャッシュを開始する（ステップＳ２４０）。
【００５６】
ステップＳ２３０にて、キャッシュ対象のチャンネルであると判定した場合（ステップＳ２３０，Ｙｅｓ）、放送受信装置１００は、当該チャンネルに割り当てられたキャッシュメモリの使用率が１００％か否かを判定する（ステップＳ２５０）。換言すると、放送受信装置１００は、ステップＳ１６５で表示色が赤と決定されたアイコン１１に対して選択操作が行われたか否かを判定する。ここで、使用率が１００％と判定した場合（ステップＳ２５０，Ｙｅｓ）、放送受信装置１００は、キャッシュメモリ全体の記憶容量のうち、どのチャンネルにも割り当てられていない記憶容量（以下、未割当の記憶容量とも称す）及び他のチャンネルに割り当てられたキャッシュメモリの空き容量が所定値以上か否か、即ち、選択されたチャンネルの割当を増やすための空き容量があるか否かを判定する（ステップＳ２５５）。
【００５７】
ステップＳ２５５にて、空き容量が所定値以上であると判定した場合（ステップＳ２５５，Ｙｅｓ）、放送受信装置１００は、選択されたアイコン１１と対応するチャンネルに割り当てられるキャッシュメモリの記憶容量を増加させる（ステップＳ２６０）。例えば、キャッシュメモリ全体の記憶容量のうち、未割当の記憶容量を当該チャンネルに割り当てる。また、アイコン１１が白や緑で表示されている使用率が所定値以下のチャンネルの容量を減らして、選択されたチャンネルの記憶容量を増やすように割り当てを変更してもよい。
【００５８】
また、ステップＳ２５５にて、空き容量が所定値以上でないと判定した場合（ステップＳ２５５，Ｎｏ）、放送受信装置１００は、選択されたアイコン１１と対応するチャンネルにおけるラジオ放送のキャッシュを停止させる（ステップＳ２６５）。これにより当該チャンネルのキャッシュメモリに保存されているラジオ放送が上書きされて消えてしまうことを防止している。このとき放送受信装置１００は、選択されたアイコン１１にキャッシュを停止させたことを示すマーク（ポーズマーク）を表示させてもよい。図７は、アイ
コン１１内にポーズマーク６１１を表示した例を示す図である。なお、ポーズマーク６１１は、アイコン１１内に限らず、アイコンの横や上、下に表示してもよい。
【００５９】
一方、ステップＳ２５０にて、使用率が１００％でないと判定した場合（ステップＳ２５０，Ｎｏ）、放送受信装置１００は、当該チャンネルに割り当てられたキャッシュメモリの使用率が５０％以上か否かを判定する（ステップＳ２７０）。換言すると、放送受信装置１００は、ステップＳ１７０で表示色がオレンジと決定されたアイコン１１に対して選択操作が行われたか否かを判定する。ここで、使用率が５０％以上と判定した場合（ステップＳ２７０，Ｙｅｓ）、放送受信装置１００は、当該チャンネルに割り当てられるキャッシュメモリの記憶容量を増加させる（ステップＳ２７５）。例えば、キャッシュメモリ全体の記憶容量のうち、未割当の記憶容量を当該チャンネルに割り当てる。また、アイコン１１が白や緑で表示されている使用率が所定値以下のチャンネルの容量を減らして、選択されたチャンネルの記憶容量を増やすように割り当てを変更してもよい。このとき増加させる記憶容量は、一定の量であっても、使用率が高いほど多く割り当てられるように変化するものであってもよい。
【００６０】
また、ステップＳ２５０にて、使用率が５０％以上でないと判定した場合（ステップＳ２５０，Ｎｏ）、放送受信装置１００は、当該チャンネルに割り当てられているキャッシュメモリの記憶容量を減少させる（ステップＳ２８０）。例えば、当該チャンネルに割り当てられている記憶容量を減らして、キャッシュメモリ全体の記憶容量のうち、未割当の容量を増加させる。また、当該チャンネルに割り当てられている記憶容量を減らして、アイコン１１が赤やオレンジで表示されている使用率が所定値以上であるチャンネルの容量を増加させるように割り当てを変更してもよい。ここで放送受信装置１００は、削減した記憶容量を他のチャンネルへ均等に割り当ててもよく、空き領域の少ないチャンネルに多く割り当て、空き領域の多いチャンネルには少なく割り当てるように、各チャンネルの空き容量又は使用率に応じて割り当てを調整してもよい。
【００６１】
なお、アイコン１１は、キャッシュ状態の設定を変更する専用のものに限定されず、他の機能を実行するアイコンと兼用されてもよい。例えば、放送受信装置１００は、アイコン１１がワンクリック（第一の選択操作）された場合に、当該アイコン１１と対応するチャンネルのテレビ放送を再生し、アイコン１１がダブルクリック（第二の選択操作）された場合、図５に示したように当該アイコン１１と対応するチャンネルに割り当てられたキャッシュメモリの設定を調整する。即ち、再生を行うチャンネルを選択するためのアイコンと、キャッシュ状態に応じて設定を変更するためのアイコン１１とを兼用してもよい。
〈実施形態の作用効果〉
上記のように本実施形態の放送受信装置１００は、複数のチャンネルの放送をキャッシュメモリに保存し、保存した放送を前記キャッシュメモリから読み出して再生可能であって、登録した各チャンネルに対応するアイコン１１をキャッシュメモリの状態に応じてアイコン１１の表示様態を変化させて表示し、これらのアイコン１１に対してユーザの操作が行われた場合、キャッシュの状態に応じて、チャンネル毎のキャッシュメモリの設定を調整する構成を備えている。
【００６２】
この構成により、本実施形態の放送受信装置１００は、複数のチャンネルに割り当てられたキャッシュメモリの状態を各アイコンの表示様態によって示し、ユーザがキャッシュメモリの状態を容易に把握できるようにしているともに、このアイコン１１に対する選択操作といった簡易な操作によってキャッシュメモリの状態を調整できる。
【００６３】
また、本実施形態の放送受信装置１００は、前記チャンネルに割り当てられた前記キャッシュメモリの状態として、当該キャッシュメモリの総記憶容量のうち、使用されずに空いている空き容量に基づく様態でアイコン１１を表示し、当該アイコン１１に対してユー
ザの選択操作が行われた場合に、前記設定調整部６３が、前記キャッシュメモリの空き容量に応じて、当該アイコンと対応するチャンネルに割り当てられたキャッシュメモリの記憶容量を変更するように設定を調整する。なお、本実施形態では、主にキャッシュメモリの使用率に応じた様態でアイコン１１を表示する例を示したが、例えば使用率が５０％の状態は、総記憶容量の５０％が空き容量である状態でもあるので、使用率に応じた表示様態は、空き容量に応じた表示様態でもある。
【００６４】
この構成により、本実施形態の放送受信装置１００は、選択されたアイコンと対応するチャンネルに割り当てられたキャッシュメモリの空き容量が不足している状態であれば、当該チャンネルに割り当てられたキャッシュメモリの空き容量を増加させ、当該キャッシュメモリの空き容量が多い状態であれば、当該チャンネルに割り当てられたキャッシュメモリの記憶容量を削減する。即ち、ユーザは、アイコン１１に対して画一的な動作を行うだけで、それぞれのキャッシュメモリの状態に応じて必要な設定調整を行うことができる。また、キャッシュの使用率が１００％に近いチャンネルを直感的に把握できると共に、アイコン１１の選択操作によって簡単にキャッシュメモリの容量を融通できるので、後で聞きたいと思っていた番組が上書きされて消えてしまうことがなく、ユーザビリティが向上する。
【００６５】
本実施形態の放送受信装置１００は、選択されたアイコン１１と対応するチャンネルに割り当てられたキャッシュメモリの空き容量が所定値以下の場合に、当該チャンネルに割り当てられた前記キャッシュメモリの記憶容量を所定量増加させる。
【００６６】
この構成により、本実施形態の放送受信装置１００は、空き容量が不足しているチャンネルの空き容量を増加させ、当該チャネルのキャッシュメモリに記憶されているラジオ放送が上書きされて消えるのを抑えることができる。
【００６７】
また、本実施形態の放送受信装置１００は、キャッシュメモリの全記憶容量のうち、どのチャンネルにも割り当てられていない記憶容量又は各チャンネルに割り当てられたキャッシュメモリのうち、空き容量が所定値以上のキャッシュメモリの記憶容量を前記キャッシュメモリの空き容量が所定値以下のチャンネルに割り当てる（例えばステップＳ２６０，Ｓ２７５）。
【００６８】
この構成により、本実施形態の放送受信装置１００は、記憶容量に余裕があるチャンネルの記憶容量を削減して、空き容量が不足しているチャンネルの記憶容量を増加させ、記憶領域の割り当てを適切に調整することができる。
【００６９】
本実施形態の放送受信装置１００は、キャッシュメモリの全記憶容量のうち、どのチャンネルにも割り当てられていない記憶容量及び各チャンネルに割り当てられたキャッシュメモリの空き容量が所定値以下の場合に、選択された前記アイコンと対応する前記チャンネルへの前記ラジオ放送の保存を停止させる（ステップＳ２６５）。
【００７０】
この構成により、本実施形態の放送受信装置１００は、記憶容量を増加させられない状態では、キャッシュを停止して、キャッシュメモリに保存されているラジオ放送が上書きされて消えてしまうことを防止している。
【００７１】
本実施形態の放送受信装置１００は、選択された前記アイコンと対応する前記チャンネルに割り当てられた前記キャッシュメモリの空き容量が所定値以上の場合に、前記設定調整部６３が、当該チャンネルに割り当てられている前記キャッシュメモリの記憶容量を所定量減らして、他のチャンネルに割り当てる（例えばステップＳ２８０）。このとき他のチャンネルに割り当てる記憶容量は、複数の他のチャンネルへ均等に配分される、又は他
のチャンネルの空き容量に応じた量で配分される。
【００７２】
この構成により、本実施形態の放送受信装置１００は、記憶容量に余裕があるチャンネルの記憶容量を削減して、空き容量が不足しているチャンネルの記憶容量を増加させ、記憶領域の割り当てを適切に調整することができる。
〈変形例１〉
上記の実施形態では、キャッシュメモリの状態に応じて、アイコン１１の色を変化される様態を示したが、アイコン１１の表示様態は、これに限定されるものではない。図８は、アイコン１１の表示様態の変形例を示す図である。
【００７３】
図８（Ａ）は、アイコン１１をプログレスバーとし、このプログレスバーの進行状況によって当該アイコン１１と対応するチャンネルに割り当てられたキャッシュメモリの状態（使用率）を示した例である。図８（Ａ）において、アイコン１１は、左右方向に長手の形状で示され、左端を原点（０％）とし、右端を上限値（１００％）とした棒グラフのように、前記ラジオ放送が保存されている領域の割合（使用率）を特定の色（図８では網掛け）としたバーで示し、ラジオ放送が保存されていない領域の割合を使用率と異なる色、図８では背景色（白色）で示している。即ち、キャッシュメモリの使用率が０％の場合、バーが表示されず、使用率の増加に伴い、バーが左側から右側に向かって伸びるように表示される。
【００７４】
図８（Ｂ）は、アイコン１１の横に円形のプログレス表示１１１を設け、このプログレス表示１１１の進行状況によって当該アイコン１１と対応するチャンネルに割り当てられたキャッシュメモリの状態（使用率）を示した例である。図８（Ｂ）において、プログレス表示１１１は、所定の箇所（図８では上部）を原点（０％）とし、左回り増加する円グラフのように、前記ラジオ放送が保存されている領域の割合（使用率）を特定の色（図８では網掛け）で示し、ラジオ放送が保存されていない領域の割合を使用率と異なる色、図８では背景色（白色）で示している。即ち、キャッシュメモリの使用率が０％の場合、プログレス表示１１１が表示されず、使用率の増加に伴い、扇状の面積が増加するように表示される。なお、プログレス表示１１１の位置は、アイコン１１の横に限らず、アイコン１１の下や上、或はアイコン１１の内側など、アイコン１１と対応する位置であればよい。
【００７５】
図８（Ｃ）は、アイコン１１の横にプログレスバー１１２を設け、このプログレスバー１１２の進行状況によって当該アイコン１１と対応するチャンネルに割り当てられたキャッシュメモリの状態（使用率）を示した例である。なお、プログレスバー１１２の位置は、アイコン１１の下に限らず、アイコン１１の上や横、或はアイコン１１の内側など、アイコン１１と対応する位置であればよい。
〈変形例２〉
本変形例では、各チャンネルに割り当てられたキャッシュメモリに再生済みのラジオ放送が保存されている場合、これを示す様態で当該チャンネルと対応するアイコン１１を表示し、当該アイコン１１が選択された場合に、再生済みのラジオ放送が保存されている記憶領域を開放する構成としている。なお、その他の構成は、前述の実施形態又は変形例１と同じであるため、同一の要素には同符号を付すなどして再度の説明を省略する。
【００７６】
図９は、本変形例において、表示画面を表示する処理の詳細を示す図である。図４におけるステップＳ１０の後、ステップＳ２０へ移行した場合に、図９の処理（例えばサブルーチン）が開始される。なお、図９の処理において、ステップＳ１１０〜Ｓ１７０の処理は図５と同じである。
【００７７】
ステップＳ１６５，Ｓ１７０の後、放送受信装置１００は、当該チャンネルに割り当て
られたキャッシュメモリに、再生済みのラジオ放送が保存されているか否かを判定する（ステップＳ１７２）。放送受信装置１００は、ラジオ放送が再生された場合に、再生されたラジオ放送のチャンネルや放送された時刻（放送時刻）など、保存されているラジオ放送のうち、再生された部分を特定する情報を再生履歴情報として記憶しておき、この再生履歴情報に基づいて、当該キャッシュメモリに、再生済みのラジオ放送が保存されているか否かを判定する。
【００７８】
ステップＳ１７２にて、再生済みのラジオ放送が保存されていると判定した場合（ステップＳ１７２，Ｙｅｓ）、放送受信装置１００は、当該チャンネルと対応するアイコン１１の表示様態を再生済みのラジオ放送が保存されている状態を示すものとする（ステップＳ１７３）。また、ステップＳ１７２にて、再生済みのラジオ放送が保存されていないと判定した場合（ステップＳ１７２，Ｎｏ）、放送受信装置１００は、ステップＳ１７５へ移行する。なお、ステップＳ１７５以降の処理は、図５の処理と同じである。
【００７９】
図１０は、再生済みのラジオ放送が保存されている状態を示す表示様態の例を示す図である。図１０の例では、アイコン１１の横方向を時間軸として定め、アイコン１１の左端を当該キャッシュメモリに保存されているラジオ放送のうち、最も古い放送時刻（受信時刻）と対応させ、アイコン１１の右端を現在時刻と対応させて、アイコン１１の横方向の位置と時刻とを対応付け、再生されたラジオ放送の放送時刻と対応する位置を特定の色、例えばグレー（図１０では点状の網掛け）で表示する。なお、グレーとする以外の部分は、ステップＳ１６５，Ｓ１７０で決定した色（図１０では斜線状の網掛け）で表示する。これにより、ユーザは、当該チャンネルに、再生済みのラジオ放送が保存されていることや、その放送時刻、保存されているラジオ放送全体に対する再生済みラジオ放送の比率等を直感的に把握できる。
【００８０】
図１１は、本変形例においてアイコン１１が選択された場合にキャッシュメモリの設定を調整する処理の詳細を示す図である。図４におけるステップＳ５０の後、ステップＳ６０へ移行した場合に、図１１の処理（例えばサブルーチン）が開始される。なお、図１１の処理において、ステップＳ２１０〜Ｓ２４０の処理は図６と同じである。
【００８１】
ステップＳ２３０にて、キャッシュ対象のチャンネルであると判定した場合（ステップＳ２３０，Ｙｅｓ）、放送受信装置１００は、前記再生履歴情報に基づぎ、当該チャンネルに割り当てられたキャッシュメモリに、再生済みのラジオ放送が保存されているか否かを判定する（ステップＳ２４５）。
【００８２】
ステップＳ２４５にて、再生済みのラジオ放送が保存されていると判定した場合（ステップＳ２４５，Ｙｅｓ）、放送受信装置１００は、当該再生済みのラジオ放送が保存されている記憶領域を開放し、空き領域を増加させる（ステップＳ２４７）。
【００８３】
一方、  ステップＳ２４５にて、再生済みのラジオ放送が保存されていないと判定した場合（ステップＳ２４５，Ｎｏ）、放送受信装置１００は、ステップＳ２５０へ移行する。なお、ステップＳ２５０以降の処理は、図６の処理と同じである。
【００８４】
このように、本変形例によれば、簡易な操作で再生済みのラジオ放送が保存されている記憶領域を開放し、空き領域を増加させることができる。
〈変形例３〉
本変形例では、アイコン１１が連続して選択された場合に、当該アイコンと対応する複数のチャンネルに割り当てられたキャッシュメモリ間で記憶容量を融通する処理を行う。なお、その他の構成は、前述の実施形態と同じであるため、同一の要素には同符号を付すなどして再度の説明を省略する。
【００８５】
図１２は、本変形例においてアイコン１１が選択された場合にキャッシュメモリの設定を調整する処理の詳細を示す図である。図４におけるステップＳ５０の後、ステップＳ６０へ移行した場合に、図１２の処理（例えばサブルーチン）が開始される。先ず、放送受信装置１００は、二つのアイコン１１が連続して選択されたか否かを判定する（ステップＳ２００）。例えば、所定時間以内に二つのアイコン１１に対して選択操作が行われた場合に、放送受信装置１００は、これらのアイコン１１を連続して選択されたものとして検出する。また、ユーザがアイコン１１を他のアイコン１１の位置までドラッグした場合に、このドラッグ元のアイコン１１とドラッグ先のアイコン１１とを連続して選択されたものとして検出してもよい。なお、アイコン１１が連続して選択されていないと判定した場合（ステップＳ２００，Ｎｏ）、即ち、選択されたアイコン１１が一つだけの場合、放送受信装置１００は、前述した図６の処理を実行する。
【００８６】
一方、ステップＳ２００にて、アイコン１１が連続して選択されたと判定した場合（ステップＳ２００，Ｙｅｓ）、放送受信装置１００は、連続して選択されたアイコン１１と対応するチャンネルうち、一方のチャンネルを選択する（ステップＳ２０５）。次に放送受信装置１００は、ステップＳ２０５で選択したチャンネルが、キャッシュ可能なチャンネルか否かを判定する（ステップＳ２１０）。ここで、キャッシュできるチャンネルでないと判定した場合（ステップＳ２１０，Ｎｏ）、放送受信装置１００は、当該チャンネルに割り当てられているキャッシュメモリの記憶容量を全て開放し、当該記憶容量を連続して選択されたアイコン１１と対応するチャンネルうち、ステップＳ２０５で選択されなかったチャンネル（以下、単に他方のチャンネルと称する）に割り当てる（ステップＳ２２０Ａ）。
【００８７】
ステップＳ２１０にて、キャッシュ可能なチャンネルであると判定した場合（ステップＳ２１０，Ｙｅｓ）、放送受信装置１００は、キャッシュ対象のチャンネルであるか否かを判定する（ステップＳ２３０）。ここで、キャッシュ対象のチャンネルでないと判定した場合（ステップＳ２３０，Ｎｏ）、放送受信装置１００は、当該チャンネルの記憶容量を所定量削減して、他方のチャンネルへ割り当てる（ステップＳ２４０Ａ）。
【００８８】
ステップＳ２３０にて、キャッシュ対象のチャンネルであると判定した場合（ステップＳ２３０，Ｙｅｓ）、放送受信装置１００は、当該チャンネルに割り当てられたキャッシュメモリの使用率が１００％か否かを判定する（ステップＳ２５０）。ここで、使用率が１００％と判定した場合（ステップＳ２５０，Ｙｅｓ）、放送受信装置１００は、他方のチャンネルに割り当てられたキャッシュメモリの空き容量が所定値以上か否か、即ち、選択されたチャンネルの割当を増やすための空き容量があるか否かを判定する（ステップＳ２５５Ａ）。
【００８９】
ステップＳ２５５Ａにて、空き容量が所定値以上であると判定した場合（ステップＳ２５５，Ｙｅｓ）、放送受信装置１００は、他方のチャンネルに割り当てられている記憶容量を所定量削減して、選択したチャンネルに割り当てられるキャッシュメモリの記憶容量を増加させる（ステップＳ２６０Ａ）。
【００９０】
なお、ステップＳ２５５Ａにて、空き容量が所定値以上でないと判定した場合（ステップＳ２５５Ａ，Ｎｏ）、記憶容量を融通できないので、放送受信装置１００は、図１２の処理を終了する。
【００９１】
一方、ステップＳ２５０にて、使用率が１００％でないと判定した場合（ステップＳ２５０，Ｎｏ）、放送受信装置１００は、当該チャンネルに割り当てられたキャッシュメモリの使用率が５０％以上か否かを判定する（ステップＳ２７０）。ここで、使用率が５０
％以上と判定した場合（ステップＳ２７０，Ｙｅｓ）、他方のチャンネルに割り当てられたキャッシュメモリの空き容量が所定値以上か否か、即ち、選択されたチャンネルの割当を増やすための空き容量があるか否かを判定する（ステップＳ２７３）。なお、ステップＳ２５５Ａで判定する空き容量の所定値とステップＳ２７３で判定する空き容量の所定値ととは、異なる値であってもよい。例えば、ステップＳ２５５Ａで判定する空き容量の所定値がステップＳ２７３で判定する空き容量の所定値より大きい値であってもよい。
【００９２】
ステップＳ２７３にて、空き容量が所定値以上でないと判定した場合（ステップＳ２７３，Ｎｏ）、放送受信装置１００は、図１２の処理を終了する。また、ステップＳ２７３にて、空き容量が所定値以上であると判定した場合（ステップＳ２７３，Ｙｅｓ）、放送受信装置１００は、他方のチャンネルに割り当てられている記憶容量を所定量削減して当該チャンネルに割り当てられるキャッシュメモリの記憶容量を増加させる（ステップＳ２７５Ａ）。
【００９３】
また、ステップＳ２７０にて、使用率が５０％以上でないと判定した場合（ステップＳ２７０，Ｎｏ）、放送受信装置１００は、当該チャンネルに割り当てられているキャッシュメモリの記憶容量を削減して、他方のチャンネルの割り当てを増加させる（ステップＳ２８０Ａ）。
【００９４】
このように本変形例によれば、連続して選択されたアイコン１１と対応するチャンネル間で記憶容量を融通でき、より簡易にキャッシュの状態を変更できる。
【００９５】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。例えば、上記実施形態では、ラジオ放送を受信し、キャッシュメモリに保存する例を示したが、本発明は、これに限らず、ラジオ放送に代えて、テレビ放送や文字放送を受信して、キャッシュへ保存する等の構成であってもよい。
【符号の説明】
【００９６】
１０  表示装置
２０  入力部
３０  音声出力部
４０  放送受信部
５０  記憶部
６０  中央処理装置
６１  アイコン表示部
６２  表示変更部
６３  設定調整部
６４  放送再生部
１００  放送受信装置
【図１】
2019021955.tif 000003
【図２】
2019021955.tif 000004
【図３】
2019021955.tif 000005
【図４】
2019021955.tif 000006
【図５】
2019021955.tif 000007
【図６】
2019021955.tif 000008
【図７】
2019021955.tif 000009
【図８】
2019021955.tif 000010
【図９】
2019021955.tif 000011
【図１０】
2019021955.tif 000012
【図１１】
2019021955.tif 000013
【図１２】
2019021955.tif 000014